(57)【特許請求の範囲】
【請求項１】
室内外を仕切る仕切構造を貫通して設けられ、一端が吸込側として室内側に開口し、他端が吹出側として室外側に開口する筒状の風胴の吹出側の開口部に、この開口部より平面積の大きいガイドプレートを当該開口部から離反する対向位置に保持させ、このガイドプレートと上記風胴の吹出側との間に半径方向に開口する吐出口を構成し、上記ガイドプレートに上記風胴内に中心線方向に向って回転軸が突入するようにモーターを取付け、このモーターの回転軸に上記風胴内で回転し、その風胴の吸込側の開口部から上記吐出口に向う空気流を形成するプロペラ式の羽根車を装着するとともに、上記ガイドプレートの室外側面にコンデンサ等の電気部品を集約して配設し、上記ガイドプレートに取付けた上記モーターの突出部分とともにガイドプレートの室外側を被覆するカバーにより一括して被覆した換気扇。
【請求項２】
室内外を仕切る仕切構造を貫通して設けられ、一端が吸込側として室内側に開口し、他端が吹出側として室外側に開口する筒状の風胴の吹出側の開口部に、この開口部より平面積の大きいガイドプレートを当該開口部から離反する対向位置に保持させ、このガイドプレートと上記風胴の吹出側との間に半径方向に開口する吐出口を構成し、上記ガイドプレートに上記風胴内に中心線方向に向って回転軸が突入するようにモーターを取付け、このモーターの回転軸に上記風胴内で回転し、その風胴の吸込側の開口部から上記吐出口に向う空気流を形成するプロペラ式の羽根車を装着するとともに、上記ガイドプレートには当該ガイドプレート全体を被覆し、そのガイドプレートに対して中心線方向にスライドして上記吐出口を開閉するスライドシャッターを設けた換気扇。
【請求項３】
室内外を仕切る仕切構造を貫通して設けられ、一端が吸込側として室内側に開口し、他端が吹出側として室外側に開口する筒状の風胴の吹出側の開口部に、この開口部より平面積の大きいガイドプレートを当該開口部から離反する対向位置に保持させ、このガイドプレートと上記風胴の吹出側との間に半径方向に開口する吐出口を構成し、上記ガイドプレートに上記風胴内に中心線方向に向って回転軸が突入するようにモーターを取付け、このモーターの回転軸に上記風胴内で回転し、その風胴の吸込側の開口部から上記吐出口に向う空気流を形成するプロペラ式の羽根車を装着するとともに、上記ガイドプレートの室外側面にコンデンサ等の電気部品を集約して配設し、このガイドプレートには当該ガイドプレートとともに上記モーター及び電気部品の全体を一括して被覆し、そのガイドプレートに対して中心線方向にスライドして上記吐出口を開閉するスライドシャッターを設けた換気扇。
【請求項４】
請求項２又は請求項３に記載の換気扇であって、スライドシャッターを、吐出口を閉止する方向に常時付勢する弾性部材を含む摺動構造によりスライド可能に構成するとともに、モーターへの通電により起動して上記スライドシャッターを上記弾性部材の付勢に抗してスライドさせ、吐出口を開放させる電動式のシャッター駆動手段を備えた換気扇。
【請求項５】
請求項４に記載の換気扇であって、摺動構造をモーターを囲む３箇所以上の箇所に構成した換気扇。
【請求項６】
請求項２〜請求項５までのいずれかに記載の換気扇であって、スライドシャッターの吐出口側の端部をＲ形状に形成した換気扇。
【請求項７】
請求項１〜請求項６までのいずれかに記載の換気扇であって、吐出口の一部を形成するガイドプレートの端縁にＲ形状の出隅部を形成して室外側へ張出す周側壁を設けた換気扇。
【請求項８】
請求項２〜請求項６までのいずれかに記載の換気扇であって、スライドシャッターの吐出口側の端部をＲ形状に形成し、吐出口の一部を形成するガイドプレートの端縁にＲ形状の出隅部を形成して室外側へ張出す周側壁を設け、上記スライドシャッターの開放時には上記スライドシャッターのＲ形状の端部が上記ガイドプレートの端縁から退離する位置になるようにした換気扇。
【請求項９】
請求項１〜請求項８までのいずれかに記載の換気扇であって、吐出口を半径方向の全周にわたって開口させた換気扇。
【請求項１０】
請求項１〜請求項８までのいずれかに記載の換気扇であって、吐出口を半径方向の全周における一部に開口させた換気扇。
【請求項１１】
請求項１〜請求項１０までのいずれかに記載の換気扇であって、吐出口からの仕切構造の面に対する空気流の吹出し展開角度を４５度以下の角度にした換気扇。
【請求項１２】
請求項１〜請求項１１までのいずれかに記載の換気扇であって、仕切構造の室外側の面に吐出口が臨むように構成した換気扇。
【請求項１３】
請求項１〜請求項１０までのいずれかに記載の換気扇であって、風胴内に羽根車を囲むベルマウスを備えた換気扇。
【請求項１４】
請求項１３に記載の換気扇であって、ベルマウスの吐出側の輪郭形状を吐出角度がほぼ４０度〜６０度の範囲になる放物線状にした換気扇。
【請求項１５】
請求項１３又は請求項１４のいずれかに記載の換気扇であって、ベルマウスを吸込側と吐出側とに分割構成した換気扇。
【請求項１６】
請求項１３〜請求項１５までのいずれかに記載の換気扇であって、ベルマウスを中空構造とし、このベルマウスの内部の空所を電気部品の装着部分とした換気扇。
【請求項１７】
請求項２〜請求項１６までのいずれかに記載の換気扇であって、ガイドプレートをそのガイドプレートに一体に設けた数本の取付脚によって風胴の室外側に保持させるとともに、その取付脚にモーター等に電源を供給するための速結端子とリード線とを外部から配設し得る収納構造を一体に形成した換気扇。
【請求項１８】
請求項４〜請求項１７までのいずれかに記載の換気扇であって、シャッター駆動手段を、ガイドプレートの室外側面上に起伏可能に装着され、起立によりスライドシャッターの背面を押圧して開放側へスライドさせるクランクと、このクランクをワイヤーの巻上げにより起立させる巻取装置とにより構成した換気扇。
【請求項１９】
請求項１８に記載の換気扇であって、クランクがガイドプレートの背面に形成したリブを押圧するようにした換気扇。
【請求項２０】
請求項１〜請求項１９までのいずれかに記載の換気扇であって、風胴の室内側の開口部の室内側に、その開口部の開口方向とほぼ同じ方向に開口した吸込口を持つグリルを備えた換気扇。
【請求項２１】
請求項１〜請求項１９までのいずれかに記載の換気扇であって、風胴の室内側の開口部の室内側に、その開口部に対して周方向に開口した吸込口を持つグリルを備えた換気扇。
【発明の詳細な説明】
【０００１】
【発明の属する技術分野】
本発明は、室内の換気を排気により行なう換気扇に関するものであり、特に、直接外気に面しない箇所に取付けて居室や廊下や収納スペースの換気を行なう換気扇に関するものである。
【０００２】
【従来の技術】
従来から、室内の換気は例えば実開昭６２―２２４３６号公報に示されているような構成の換気扇が多く用いられてきた。この種の換気扇は、外壁等の仕切構造を隔てて屋外に臨むような室の換気を行なう装置であり、図２４に示すように角筒状の本体枠７０の中心線上にモーター７１がモーターフレームにより固定されている。本体枠７０の吸込側の開口部側にはベルマウス７２が設けられ、モーター７１の回転軸に装着されたプロペラ式の羽根車７３がベルマウス７２に囲まれた位置で回転するようになっている。本体枠７０の吹出側の開口部には上下に重なり合いを持つ数枚のブレードにより構成された開閉シャッター７４が設けられ、本体枠７０の吸込側の開口部は、室内側に装着される通風可能に構成されたグリル７５で被覆されている。
【０００３】
このような換気扇は、仕切構造７６に開設された室内外に通じる開口部に木枠を取付け、この木枠に本体枠７０を、開閉シャッター７４側を屋外側に向けて挿入することにより取付けられ、羽根車７３の回転により室内の空気をグリル７５を経て吸込み、開放した開閉シャッター７４を経て屋外へ直接排出することにより、換気機能を果たす。
【０００４】
仕切構造７６に開口部を設けるだけでは、室内と屋外とを連通させることができないような場所には、上述したような換気扇は適用できないため、例えば実開昭６０―６５５４０号公報に示されているようなダクト用換気扇が用いられてきた。この種のダクト用換気扇は、図２５に示すように換気扇本体８０の吐出口にダクト接続口８１が備えられ、ダクト接続口８１と屋外とをダクト８２を介して連絡させるように構成されている。
【０００５】
このようなダクト用換気扇は、天井裏等に設置されることが多く、天井面に臨んだ吸込口から室内の空気を吸込み、換気扇本体８０の一側に設けた吐出口から吹出させるため、換気扇本体８０内には多翼式の羽根車による遠心式送風機が組込まれている。天井裏への取付けは、遠心式送風機を採用していることから外形も質量も大きく、直接に天井構造には支持させることができないため、図２５に示すように天井裏の構造体から予め垂下させたアンカーボルト８３に吊金具を介して吊り固定させることが多い。
【０００６】
【発明が解決しようとする課題】
上記のような従来の換気扇において、プロペラ式の羽根車７３によるものは、小型で軽量な構成のため取付けは容易であるが、取付場所に制約があり、直接屋外に面する外壁等の仕切構造７６以外の例えば、天井裏空間と室とを仕切る、直接屋外に面しない天井等の仕切構造には取付けることができない。窓が大型化する傾向にある今日的な建築様式にあっては、屋外に面する仕切構造の面積は減少する傾向にあり、設置スペースの確保が難しくなっているうえ、窓に近接した位置では給排気が短絡するショートサーキットも起り易くなる。
【０００７】
また、軸方向にそのまま排気するため、開閉シャッター７４も複数枚の重なり合いを持つブレードの回動により開閉する構成となり、構成が複雑なうえ閉止時にブレード同士の衝突による衝突音が発生するといった問題の他にも、室外側にはウエザーカバー等の突出量の大きな風雨防止部材が必要になり、建物の外観性も損ない勝ちであるといった問題もある。そして、高気密化する傾向にある今日的な建物では、低風圧の換気扇では運転中に騒音が急激に増大するサージングを起し易い。
【０００８】
一方、ダクト用換気扇は、直接屋外に面する外壁等の仕切構造以外の場所にも取付けることができ、外観性もよいものの、外形も質量も大きいためアンカーボルト８３等により吊り支持させなくてはならず、施工性は良くない。また、天井裏の小屋組構造の空間を、船底天井として縮小し、その分室内空間を広げるようにした構造の建物には、上記したプロペラ式の羽根車７３による換気扇も、ダクト用換気扇も傾斜した船底天井には設置することができない。
【０００９】
本発明は上記した従来の問題点を解消するためになされたもので、その課題とするところは、施工性がよく、取付場所の制約の少ない換気扇を得ることであり、その外観性や機能を向上させることであり、製作性の向上により換気扇のコストを低減させることであり、換気に係る排気側の空気流を有効利用できる利用範囲の広い換気扇を得ることである。
【００１０】
【課題を解決するための手段】
室内外を仕切る仕切構造を貫通して設けられ、一端が吸込側として室内側に開口し、他端が吹出側として室外側に開口する筒状の風胴の吹出側の開口部に、この開口部より平面積の大きいガイドプレートを開口部から離反する対向位置に保持させ、ガイドプレートと風胴の吹出側との間に半径方向に開口する吐出口を構成し、ガイドプレートに風胴内に中心線方向に向って回転軸が突入するようにモーターを取付け、このモーターの回転軸に風胴内で回転し、風胴の吸込側の開口部から吐出口に向う空気流を形成するプロペラ式の羽根車を装着するとともに、ガイドプレートの室外側面にコンデンサ等の電気部品を集約して配設し、ガイドプレートに取付けたモーターの突出部分とともにガイドプレートの室外側を被覆するカバーにより一括して被覆する手段を採用する。
【００１１】
室内外を仕切る仕切構造を貫通して設けられ、一端が吸込側として室内側に開口し、他端が吹出側として室外側に開口する筒状の風胴の吹出側の開口部に、この開口部より平面積の大きいガイドプレートを開口部から離反する対向位置に保持させ、ガイドプレートと風胴の吹出側との間に半径方向に開口する吐出口を構成し、ガイドプレートに風胴内に中心線方向に向って回転軸が突入するようにモーターを取付け、このモーターの回転軸に風胴内で回転し、風胴の吸込側の開口部から吐出口に向う空気流を形成するプロペラ式の羽根車を装着するとともに、ガイドプレートにはその全体を被覆し、ガイドプレートに対して中心線方向にスライドして吐出口を開閉するスライドシャッターを設ける手段を採用する。
【００１２】
室内外を仕切る仕切構造を貫通して設けられ、一端が吸込側として室内側に開口し、他端が吹出側として室外側に開口する筒状の風胴の吹出側の開口部に、この開口部より平面積の大きいガイドプレートを開口部から離反する対向位置に保持させ、ガイドプレートと風胴の吹出側との間に半径方向に開口する吐出口を構成し、ガイドプレートに風胴内に中心線方向に向って回転軸が突入するようにモーターを取付け、このモーターの回転軸に風胴内で回転し、その風胴の吸込側の開口部から吐出口に向う空気流を形成するプロペラ式の羽根車を装着するとともに、ガイドプレートの室外側面にコンデンサ等の電気部品を集約して配設し、ガイドプレートにはガイドプレートとともにモーター及び電気部品の全体を一括して被覆し、ガイドプレートに対して中心線方向にスライドして吐出口を開閉するスライドシャッターを設ける手段を採用する。
【００１３】
また、スライドシャッターを、吐出口を閉止する方向に常時付勢する弾性部材を含む摺動構造によりスライド可能に構成するとともに、モーターへの通電により起動してスライドシャッターを弾性部材の付勢に抗してスライドさせ、吐出口を開放させる電動式のシャッター駆動手段を備える手段を採用する。
【００１４】
さらに、摺動構造を、モーターを囲む３箇所以上の箇所に構成する手段を採用する。
【００１５】
またさらに、スライドシャッターの吐出口側の端部をＲ形状に形成する手段を採用する。
【００１６】
さらにまた、吐出口の一部を形成するガイドプレートの端縁に、Ｒ形状の出隅部を形成して室外側へ張出す周側壁を設ける手段を採用する。
【００１７】
また、スライドシャッターの吐出口側の端部をＲ形状に形成し、吐出口の一部を形成するガイドプレートの端縁にＲ形状の出隅部を形成して室外側へ張出す周側壁を設け、スライドシャッターの開放時には上記スライドシャッターのＲ形状の端部がガイドプレートの端縁から退離する位置になるようにする手段を採用する。
【００１８】
さらに、吐出口を半径方向の全周にわたって開口させる手段を採用する。
【００１９】
またさらに、吐出口を半径方向の全周における一部に開口させる手段を採用する。
【００２０】
さらにまた、吐出口からの仕切構造の面に対する空気流の吹出し展開角度を４５度以下の角度にする手段を採用する。
【００２１】
また、仕切構造の室外側の面に吐出口が臨むように構成する手段を採用する。
【００２２】
さらに、風胴内に、羽根車を囲むベルマウスを備える手段を採用する。
【００２３】
またさらに、ベルマウスの吐出側の輪郭形状を吐出角度がほぼ４０度〜６０度の範囲になる放物線状にする手段を採用する。
【００２４】
さらにまた、ベルマウスを、吸込側と吐出側とに分割構成する手段を採用する。
【００２５】
また、ベルマウスを中空構造とし、このベルマウスの内部の空所を電気部品の装着部分とする手段を採用する。
【００２６】
さらに、ガイドプレートを、そのガイドプレートに一体に設けた数本の取付脚によって風胴の室外側に保持させるとともに、取付脚にモーター等に電源を供給するための速結端子とリード線とを外部から配設し得る収納構造を一体に形成する手段を採用する。
【００２７】
またさらに、シャッター駆動手段を、ガイドプレートの室外側面上に起伏可能に装着され、起立によりスライドシャッターの背面を押圧して開放側へスライドさせるクランクと、このクランクをワイヤーの巻上げにより起立させる巻取装置とにより構成する手段を採用する。
【００２８】
さらにまた、クランクを、ガイドプレートの背面に形成したリブを押圧するようにする手段を採用する。
【００２９】
また、風胴の室内側の開口部の室内側に、その開口部の開口方向とほぼ同じ方向に開口した吸込口を持つグリルを備える手段を採用する。
【００３０】
さらに、風胴の室内側の開口部の室内側に、その開口部に対して周方向に開口した吸込口を持つグリルを備える手段を採用する。
【００３１】
【発明の実施の形態】
次に本発明の実施の形態を図面に基づいて説明する。
実施の形態１．
図１に示すこの実施の形態１の換気扇は、室内Ａと室外Ｂとを仕切る仕切構造１を貫通して設けられ、一端が吸込側として室内側に開口し、他端が吹出側として室外側に開口する四角筒状（円筒状でも構わない）の風胴２を備えている。この風胴２の室内側の開口部には外方へ張出すフランジ３が形成され、このフランジ３に風胴２の開口部を室内側において覆うグリル４が着脱可能に装着される。グリル４は、室内側と風胴２の開口部とを連通させる吸込口５を有し、図１に示すように吸込口５が開口部の開口方向とほぼ同じ方向に開口したもの又は、図２に示すような開口部に対して周方向に吸込口５が開口したもののいずれかを選択的に装着することができる。
【００３２】
風胴２の室外側の開口部側には当該部の風胴２内をなだらかな曲面をもって絞るベルマウス６が一体に構成され、ベルマウス６の室外側の周縁により風胴２の吹出側の開口部が囲まれた形態となっている。ベルマウス６の口縁で囲まれる風胴２の吹出側の開口部には、この開口部より平面積の大きい円盤状（方形盤状でも構わない）のガイドプレート７が当該開口部から離反する対向位置に円柱状の四本の取付脚８により保持されている。各取付脚８はガイドプレート７に一体に形成され、その各自由端側に設けられた取付穴においてベルマウス６の口縁にそれぞれねじ付けされる。
【００３３】
ガイドプレート７の室内側の面とこれに対向するベルマウス６の吹出側の口縁との間は、風胴２の開口部に半径方向に連絡する全周にわたって外部に開放する遠心ディフューザー風路９が構成されている。ガイドプレート７の周縁には室外側に立上がる補強のための周側壁１０が形成され、この周側壁１０とガイドプレート７の周端とによる出隅部はＲ形状１１に仕上げられ、ベルマウス６の口縁部分とにより遠心ディフューザー風路９の外部への開放端である吐出口１２が、半径方向に全周にわたって構成されている。出隅部のＲ形状１１は、吐出口１２から吹出される排気流を円滑に流し、衝突により発生する騒音を低減する。
【００３４】
ガイドプレート７の中央部には円形のモーター取付穴１３が開けられていて、このモーター取付穴１３に室外側から、風胴２内の中心線上に回転軸１４が突入するようにモーター１５が挿入され、モーター外殻のフランジにおいてガイドプレート７上にねじにより固定されている。モーター１５の回転軸１４には風胴２のベルマウス６に囲まれた位置で回転し、風胴２の吸込側の開口部から吐出口１２に向う空気流を形成するプロペラ式の羽根車１６が着脱可能に装着されている。ガイドプレート７の室外側には、モーター１５の突出部１７を除く周側壁１０に囲まれた広い面積が確保できるため、コンデンサ等、動作に必要な電気部品を収容することができる。この場合には、ガイドプレート７の室外側のモーター１５を囲む部分に電気部品を掛止めできる係止突起等の構造を一体に形成し、電気部品に必要な結線作業を全て施した後に、電気部品を係止突起等に係止させるようにすれば、組立てが平易にでき作業性も向上する。プロペラ式の羽根車１６による軸流送風機では、ある程度吐出口１２を狭めても大きな送風量の減少は生じにくいので、ガイドプレート７と風胴２との間隔は狭くてよく、吐出口１２からの吹出し流速を速くすることができる。
【００３５】
本実施の形態の換気扇は、直接外気に面しない仕切構造１に取付けて当該仕切構造１で仕切られた居室や廊下或いは収納スペース等の換気を実施することができる。例えば、図１及び図３に示すように天井板等の構造が室内と天井裏空間１８とを仕切る仕切構造１である場合、仕切構造１に風胴２を挿入させうる角形の開口部を開け、開口部の天井裏側の口縁に設けた野縁１９に、開口部に室内側から挿入した風胴２のフランジ３をねじにより締め固定し、室内側にグリル４を装着すればよい。
【００３６】
モーター１５に通電すれば、風胴２のベルマウス６内でプロペラ式の羽根車１６が回転し、室内Ａの天井側の空気がグリル４の吸込口５から風胴２内に吸込まれ、羽根車１６の回転により速度と圧力が加えられ、ガイドプレート７とベルマウス６の口縁による遠心ディフューザー風路９により半径方向に方向変換され吐出口１２から放射状に排出される。このとき、遠心ディフューザー風路９により遠心力も昇圧に利用されることになるため、軸方向に流れる一般的なプロペラファンよりも高静圧な送風性能が得られる。吐出口１２から吹出した排気流は、仕切構造１の背面に沿って層状に流れ、軒部分に形成されている換気孔２０又は隙間から屋外へ排気される（図３参照）。
【００３７】
上記のようにこの換気扇は、室内Ａの空気を吸込み当該室の室内外を仕切る仕切構造１の室外側の面に沿って排気し、室内Ａの換気を行なうものである。室内外を仕切る仕切構造１の室外側の面に沿って層状の排気流を形成すると、仕切構造１が日射や熱気の影響を受けている場合に、排気流が仕切構造１を冷却し室内側への熱輻射を効果的に抑制することができる。例えば、夏場における戸建て住宅等では日射により屋根温度は最高７０℃にも上昇し、屋根裏の天井裏空間１８の温度は６０℃を越えることもある。
【００３８】
このように天井裏空間１８の温度が上昇すると、天井裏空間１８に接する天井面の温度も４０℃以上になることが多い。このような状況では仕切構造１である天井構造により仕切られた室内Ａの温度も上昇するばかりでなく、仕切構造１からの熱輻射により熱気が室内に篭り居住空間としての室内Ａはとても不快な環境になる。室内Ａの温度がそれほど高くない場合であっても、天井構造や西日が直射する外壁等の仕切構造１が体温以上になっていると、それに接する室内Ａにおいては熱気を感じ不快感を醸す。
【００３９】
本実施の形態で示した換気扇は、こうした仕切構造１により媒介される室内Ａの熱気を換気に伴う排気流を利用して効果的に抑制することができる。例えば、図３に示すように天井裏空間１８と室内Ａとを仕切る仕切構造１が背面の天井裏空間１８の熱気により、室内に熱気を生じさせているような場合、換気扇を運転させると、吸込まれた室内Ａの空気が排気流として仕切構造１の天井裏空間１８側の面に沿って層状に流れ、軒部分に形成されている換気孔２０又は隙間から屋外へ排気されることになる。天井裏空間１８の空気は暖気化しているため屋根側に向い勝ちであり、さらに排気流により持ち上げられるようにして屋根側に押しやられ、仕切構造１には接触し難くなる。室内空気である排気流と屋根裏の天井裏空間１８の空気とには温度差があり、混ざりにくく両者間には離層に近いものが形成されることになる。
【００４０】
仕切構造１の天井裏空間１８側の面に沿って流れる排気流は、天井裏空間１８の暖気を排斥しつつ熱を奪い、仕切構造１からも熱を奪い屋外へ排出する。従って、仕切構造１は熱気を室内に及ぼさない程度にまで速やかに冷却され、天井裏空間１８からの熱輻射も抑制し、室内Ａの熱気を小風量の換気と、それに基づく排気流とにより解消することができる。このように、熱気抜きが行なわれると、仕切構造１からの熱輻射が低減し、室内Ａの居住性はすこぶる改善される。また、体感温度も下がることから、換気運転をしていないときよりも冷房の設定温度を高くでき、省エネルギーにも寄与することができる。このような熱気抜き機能は、西日に晒される外壁が室内外を仕切る仕切構造１である場合や、階下が駐車場となっていて地面からの照り返しが床側にあり、床構造が室内外を仕切る仕切構造１である場合にも果たしうる。このような場合には、外壁や床構造に対して換気扇を設け、排気流を外壁や床構造の室外側の面に沿って流すようにすればよい。これにより、排気流により日射や照り返しを受ける面が冷却され、室内側の熱気を換気しながら解消することができる。
【００４１】
室内Ａの熱気を排除するには、暖気が室内Ａの上方に滞留しやすいことから仕切構造１が天井構造であるような場合には、室内Ａの空気を仕切構造１の室内側に沿った方向から吸込むようにすることも有効である。図２に示すような吸込口５が風胴２の室内側の開口部の開口方向に対して周方向に開口したグリル４を装着すれば、室内Ａの上方に滞留した暖気を仕切構造１の室内側に沿った方向から吸込み排除することができ、室内Ａの熱気の排除に実効があがる。ただし、図１に示すような風胴２の室内側の開口部の開口方向とほぼ同じ方向に吸込口５が開口したグリル４を装着した場合でも、仕切構造１からより離反した比較的低い温度の室内空気を吸込み、この空気による排気流で仕切構造１の熱を奪うことになり、室内の熱気の排除には有効である。
【００４２】
上述のように本実施の形態の換気扇は羽根車１６がプロペラ式であり、遠心式送風機より軽量で小型に構成でき、天井への取付けにおいてもアンカーボルト等により吊り支持する必要もなく、施工性が良いうえ取付け場所の制約も少ない。例えば、図４に示すような勾配のある船底天井２１が仕切構造１であっても、なんら施工上において固有の対応をはかることなく取付けることができる。勿論、換気機能を主機能とした換気扇本来の利用の仕方もできるが、室内外を仕切る仕切構造１が直接外気に接しない箇所で、仕切構造１により室内Ａに熱気が生じるような室に対する換気扇として利用することにより、その換気に伴う排気流を室内Ａの熱気抜きに有効に利用できる利用範囲の広い換気扇となる。また、高気密住宅に適用しても高静圧な送風特性を持つためサージングが起りにくい利点もある。
【００４３】
天井裏空間１８の昇温による室内Ａの熱気の排除を効果的に行なうには、先にも述べたように天井裏空間１８の仕切構造１側の面に沿う排気流の層を形成することが重要である。仕切構造１は天井板に図１に示すように断熱材２２を設置して構成されることが多く、その全体の厚みは、８０ｍｍ〜２００ｍｍ又はそれ以上になることもある。風胴２の中心線方向の寸法を１００ｍｍ〜１５０ｍｍ程度に設定しておけば、こうした仕切構造１の厚さに対応することができ、吐出口１２が仕切構造１の裏面に臨んで開口するようにすることができる。
【００４４】
また、吐出口１２からの仕切構造１の室外側の面に対する排気流の吹出し展開角度θは、図５に示すように仕切構造１を冷却するうえからは４５度以下の角度が必要であり、これを越える吹出し展開角度θでは実効がなくなる。最も有効な吹出し展開角度θは０度近くであるが、実際には換気扇の構成や送風特性或いは仕切構造１の構造により、平行な整った排気流を形成できないことが多い。こうした事柄を勘案した場合、吹出し展開角度θは３０度以下に設定することが実用的である。この吹出し展開角度θは、ベルマウス６の吐出側の輪郭形状を吐出角度がほぼ４０度〜６０度の範囲になる放物線状２３にすることにより実現することができる。ベルマウス６を吐出角度がほぼ４０度〜６０度の範囲になる放物線状２３にすると、単純な円弧形状にした場合に比べプロペラ式の羽根車１６による吐出流れは、羽根車１６内で遠心方向の成分を持ち易くなるため、一層高静圧な送風性能が得られ、高気密住宅に対する適用でも一層サージングがおきにくくなる。
【００４５】
実施の形態２．
図６はこの実施の形態２の換気扇を示した断面図である。図面からも分るようにこの換気扇は実施の形態１で示したガイドプレート７の室外側をカバー２４で被覆したものであり、カバー２４に係る構成以外は実施の形態１のものと同じである。従って、実施の形態１のものと同じ部分については実施の形態１のものと同じ符号を用い、それらについての説明は省略する。
【００４６】
実施の形態１の換気扇ではガイドプレート７は室外側に露出していて、ガイドプレート７に取付けたモーター１５の外殻の一部も突出部１７となって露出している。従って、取付け状態ではガイドプレート７が天井裏空間１８や屋外等に呈出することになり、塵埃に晒されたり風雨に晒されたりすることになる。特に、ガイドプレート７の室外側の面に電気部品を配設する場合には、これらを塵埃や風雨から保護する必要があり、また、建物の外表側にガイドプレート７が臨むような場合には、建物の外観性を損なわないようにガイドプレート７の外観性を向上させる必要がある。
【００４７】
本実施の形態２の換気扇は、ガイドプレート７の室内側面と出隅部のＲ形状１１の機能を妨害しないように、このＲ形状１１を覆うことなく残して全体をカバー２４で被覆している。カバー２４はプラスチックの一体成形物として構成され、ガイドプレート７の周側壁１０に取付筒部２５を外嵌めし、ねじ等によって周側壁１０に着脱可能に装着されている。カバー２４全体の形状は球面状の容器状や、平底の浅底容器状等に形成することができ、カバー２４により塵埃防止機能や風雨侵入防止機能を簡素な構成により換気扇に付与することができる。建物の外表側にカバー２４が呈出する場合には、カバー２４の外表が意匠面となるので、ランプシェードのように梨地や乳白色等に全体を仕上げることにより、外観性を大いに向上させることができる。
【００４８】
この他、カバー２４の取付筒部２５の一部をベルマウス６の口縁まで部分的に延出させ、この部分についての吐出口１２を閉止するようにすることもできる。このような構成を採用することにより、排気方向に指向性を持たせることができ、室内Ａにおける仕切構造１の片隅に換気扇を取付けて機能させることが可能になり、また、屋外に呈出する取付け形態では吐出口１２の上側を閉止することにより、従来使われてきたフード状のウエザーカバーの機能を具備させることが可能になる。これ以外の構成及び機能並びに利点は実施の形態１のものと同じである。
【００４９】
実施の形態３．
図７〜図１５はこの実施の形態３の換気扇を示したものである。図面からも分るようにこの換気扇の基本部分の構成は、実施の形態１で示したものと同じであり、実施の形態２のものと同様に、ガイドプレート７の室外側をカバーで被覆したものである。従って、実施の形態１，２のものと同じ部分については実施の形態１，２のものと同じ符号を用い、それらについての説明は省略する。
【００５０】
ガイドプレート７の室外側をカバーで被覆することの実効性は実施の形態２で説明したとおりである。この実施の形態３は、カバーを可動に構成して必要により吐出口１２を開閉できるスライドシャッター２６として構成したものである。即ち、実施の形態２で示したカバー２４の取付筒部２５の中心線方向の長さを全体に長く構成して吐出口１２を開閉するシャッター部２７として構成し、カバー全体をガイドプレート７に対して中心線方向にスライドできるようにしたものである。吐出口１２は周方向に開口しているため、複数枚の重なり合いを持つブレードの連動機構による従来の開閉シャッターによらず、カバー２４でもあるスライドシャッター２６の直線的な摺動により一括して吐出口１２全体を開閉することができる。
【００５１】
本実施の形態の換気扇では、スライドシャッター２６を、そのシャッター部２７の口縁がベルマウス６の口縁に当り、吐出口１２を閉止する方向に常時付勢する弾性部材としてのコイルバネ２８を含む摺動構造２９により、ガイドプレート７に対してスライド可能に構成している。そして、換気扇の運転開始とともに吐出口１２を開放させる必要があることから、羽根車１６を回転させるモーター１５への通電により起動してスライドシャッター２６をコイルバネ２８の付勢に抗してスライドさせ、吐出口１２を開放させる電動式のシャッター駆動手段３０を備えている。
【００５２】
摺動構造２９は、図９，１０に示すようにガイドプレート７側の筒部３１と、スライドシャッター２６側の摺動軸３２及び、筒部３１と摺動軸３２間にバネ力を作用するコイルバネ２８とを主体として構成されている。筒部３１は、ガイドプレート７の室外側の面にモーター取付穴１３を囲むように間隔をおいて図１１に示すように三箇所に一体に突設されていて、その各室外側は軸受部となる内筒３３が一体形成されたジャケット管構造に構成され、室外側はそのまま開放している。摺動軸３２は、各筒部３１に対応するスライドシャッター２６の室内側の面から室内側にそれぞれ突出していて、それぞれの外周には内筒３３内を円滑に摺動させるための数条のリブ３４が中心線方向に平行に設けられている。
【００５３】
各摺動軸３２の自由端側にはスプリングキャップ３５をねじ固定するためのねじ孔３６が設けられている（図９参照）。コイルバネ２８は、各内筒３３に挿通させた筒部３１内の各摺動軸３２回りに装着され、一端は内筒３３と筒部３１との間の部分に、他端は摺動軸３２の端部に装着されたスプリングキャップ３５にそれぞれ保持され、圧縮状態に組付けられている。各コイルバネ２８の拡張方向のバネ力は、スプリングキャップ３５を介してそれぞれの摺動軸３２を各筒部３１内に引き込む方向に常時作用していて、このバネ力によりスライドシャッター２６は、そのシャッター部２７に続く段部がガイドプレート７の周側壁１０の端面に当接する位置に引き寄せられている（図７，１０参照）。
【００５４】
シャッター駆動手段３０は、図１１，１２に示すようにガイドプレート７の室外側の面上に一体成形された支持構造３７に回動可能に装架され、起立状態ではスライドシャッター２６の背面に形成されたリブ３８を押圧し、倒伏状態ではスライドシャッター２６への押圧を解除するクランク３９と、このクランク３９をワイヤー４０の巻上げにより起立させる巻取装置４１とにより構成されている。クランク３９は金属の線材から曲げ形成され、中央にはスライドシャッター２６の背面に形成されたリブ３８を押圧するコ状のアーム部４２が、両端には支持構造３７に回動可能に支持される回転軸部４３が設けられ、一方の回転軸部４３寄りの部分にはワイヤー４０を連結する操作アーム４４がＵ字状に曲げ形成されている。クランク３９を支持する支持構造３７はモーター取付穴１３を跨ぐように二つずつ並んで設けられ、内側の各支持構造３７は各回転軸部４３の中間を係合溝４５により受承し、外側の各支持構造３７は各回転軸部４３の軸端を回転可能に保持して、クランク３９を両持ち支持している。
【００５５】
巻取装置４１は、図１１，１３に示すようにガイドプレート７の室外側の面におけるクランク３９の操作アーム４４に対向する位置に取付けられ、減速モーター４６を駆動源としてクランク３９の操作アーム４４に連結されたワイヤー４０を巻取り、クランク３９のコ状のアーム部４２を起立させる。減速モーター４６は、途中に摩擦クラッチなどのトルクリミッターを有する減速用のギヤトレーンを内設した構成であり、その出力軸に装着された巻取ローラー４７にクランク３９の操作アーム４４に連結されたワイヤー４０の一端が連結されている。巻取ローラー４７が一方向に回転すると、ワイヤー４０が巻き取られていき、これに伴ってクランク３９の操作アーム４４が減速モーター４６側に引張られ、クランク３９が旋回してアーム部４２を起立させることになる。コンデンサー４８や減速モーター４６などの電気部品は、必要な結線を全て施した後に、ガイドプレート７の室外側の面に形成された掛止突起４９やねじを使ってガイドプレート７の室外側の面に装着されている。
【００５６】
なお、シャッター駆動手段３０としては、例えばパンタグラフ機構とリンクを利用したものや、スライドシャッター２６側に回り止めしたナットを装着し、ガイドプレート７側にモータードライブによるねじ棒を設けて、このねじ棒をナットにねじ嵌合させる構成等を適用することもできる。また、スライドシャッター２６のシャッター部２７の端部に図１４に示すように吸音パットやシール性のあるパッキン５０を装着することにより、スライドシャッター２６の閉止音を殆ど無くすことや、スライドシャッター２６が屋外へ臨む場合に閉止時の防雨機能を向上させることができる。実施の形態２で述べたように、半径方向について一部を閉止する必要がある場合には、ガイドプレート７に当該位置の吐出口１２を閉止する、周側壁１０を反対側に延出させた封止部を形成すればよい。
【００５７】
本実施の形態の換気扇においては、停止状態では吐出口１２はスライドシャッター２６のシャッター部２７により外周部において図７に示すように閉止されている。即ち、各摺動構造２９のコイルバネ２８のバネ力によりスライドシャッター２６はガイドプレート７側に引き寄せられており、シャッター部２７の端縁はベルマウス６の口縁に当接している。従って、この状態では、換気扇が外部の騒音の伝播する経路となったり、外風の吹込み経路や室外の塵埃が室内へ侵入する経路となったりしない。運転スイッチの投入により羽根車１６を回転させるモーター１５への通電が実施されると、巻取装置４１もともに起動しその減速モーター４６が回転する。
【００５８】
減速モーター４６が回転すると巻取ローラー４７がワイヤー４０を巻き取る方向に回転してワイヤー４０を巻き取り、これとともにクランク３９の操作アーム４４が引張られクランク３９が回動してアーム部４２が起立していき、スライドシャッター２６の背面のリブ３８をコイルバネ２８の付勢に抗して押圧し、ガイドプレート７から離反する軸方向にスライドシャッター２６を移動させる。これにより逐次、吐出口１２は開放されていき、やがて図８に示すように全開になる。スライドシャッター２６の開放側への移動は、減速モーター４６の回転量の調節により、シャッター部２７の端面がガイドプレート７の出隅部のＲ形状１１の部分を抜け出した位置で停止され、その位置に保持される。ただし、スライドシャッター２６のシャッター部２７の端縁を図１５に示すようにガイドプレート７のＲ形状１１と同様のＲ形状１１に形成することによりガイドプレート７側のＲ形状１１を抜け出させる必要はなくなるので、スライドシャッター２６の開放側への移動量は若干少なくすることができ、しかも開放移動中のシャッター部２７の端部が吐出口１２を開放していく間の吐出口１２からの排気流の衝突による騒音を低減することができる。スライドシャッター２６のスライドにより実施の形態１で示したような換気機能や熱気抜き機能を果たさせることができる。
【００５９】
運転スイッチが開放されると、減速モーター４６への通電も断たれ、スライドシャッター２６は各コイルバネ２８による引戻し力を即座に受け、それまで押圧していたクランク３９を押付けてクランク３９を倒伏側へ回動させながら初期の吐出口１２を完全に閉止する位置にまで速やかに移動する。この間、巻取ローラー４７はワイヤー４０を巻戻す方向に回転してワイヤー４０を巻取り、初期の状態に復帰する。このように、本実施の形態の換気扇では、実施の形態２で示したカバー２４と同様の機能を果たすスライドシャッター２６により、非運転時の室内外の閉鎖度が向上する。スライドシャッター２６は、風胴２の中心線方向に動いて吐出口１２を一括して開閉するものであるため、複数枚の重なり合うブレードによる回動式の開閉シャッターより構成が簡素になる。また、閉止時にブレード同士が衝突して発生する衝突音もなくすことができ、室外側からの外観性も向上する。
【００６０】
コイルバネ２８を含む摺動構造２９やクランク３９によるシャッター駆動手段３０は構成が簡素であり、スライドシャッター２６の開閉動作を円滑に行なわせることができる。特に、摺動構造２９をモーター取付穴１３の回りに三箇所以上設けることにより、スライドシャッター２６の摺動時の安定性が増し、例えば船底天井２１や垂直な仕切構造１に取付けてもスライドシャッター２６の自重による傾きや、質量のアンバランスによる傾きができず、より開閉動作をバランスよく円滑に行なわせることができる。また、スライドシャッター２６の背面に形成した補強を兼ねるリブ３８をクランク３９のアーム部４２が押圧して、スライドシャッター２６をスライドさせるように構成しているので、例えばスライドシャッター２６が球面形状であっても適用でき、しかも摩擦の少ない当り面で広範に押圧力を作用させることができ、円滑な開閉が実現する。これ以外の基本的な機能や利点は実施の形態１，２のものと同じである。
【００６１】
実施の形態４．
図１６〜１８はこの実施の形態４の換気扇を示したものである。図面からも分るようにこの換気扇の基本部分の構成は、実施の形態１，３で示したものと同じである。従って、実施の形態１，３のものと同じ部分については実施の形態１，３のものと同じ符号を用い、それらについての説明は省略する。
【００６２】
本実施の形態の換気扇は、実施の形態１，２，３で示した換気扇におけるガイドプレート７の取付脚８に、モーター１５等に電源を供給するための速結端子５１とリード線５２とを外部から配設し得る収納構造を一体に形成したものである。取付脚８の一本又は数本に対し、その全長にわたり上下の開放したリード線収納用の収納筒部５３が一体成形されている。この収納筒部５３には外側からリード線５２を挿入することができるように長溝５４が全長にわたって形成されている。取付脚８の取付穴のある自由端側における収納筒部５３の延長上には、速結端子５１を抱き込み保持するコの字状の端子収納部５５が一体成形されている。端子収納部５５の対向する二面には、速結端子５１に形成されている掛止構造５６に係合して速結端子５１を端子収納部５５内に保持する係合部５７が形成されている。一方、ベルマウス６は内部が電気部品の装着部分として中空に構成され、その取付脚８の端部が当る口縁には、取付脚８の端子収納部５５に保持させた速結端子５１を端子収納部５５とともに挿通させうる挿入口５８が開けられている。
【００６３】
ガイドプレート７の室外側の面には全ての結線を施したコンデンサー４８や減速モーター４６等の電気部品が集約して配設され、結線の完了したリード線５２と速結端子５１が、取付脚８に配設される。即ち、リード線５２は長溝５４から収納筒部５３内に配索され、その端に接続された速結端子５１が、端子収納部５５に保持される。この状態で各取付脚８をベルマウス６の口縁にねじ付けにして、ガイドプレート７を風胴２に組付ける。端子収納部５５に保持された速結端子５１は端子収納部５５とともに挿入口５８からベルマウス６の内部の電気部品の装着部分である空間に保持される。速結端子５１に対する電源供給のための配線の接続は、ベルマウス６の電気部品の装着部分に対応する位置に設けられた配線口（図示しない）において行なわれる。
【００６４】
上述のように本実施の形態の換気扇では、電気部品をガイドプレート７の面を有効に利用してまとまりよくコンパクトに配設でき、全ての組立作業及び結線作業の終了したガイドプレート７を風胴２にねじ固定するだけで組立てることができる。ガイドプレート７の組付けにおいては、挿入口５８が取付脚８の位置決めの目安となり、挿入口５８に挿入した速結端子５１とこれを保持した端子収納部５５が、取付脚８をねじ締めする際の仮固定機能を果たすため組付け作業は容易である。従って、この換気扇は結線作業や組立作業がし易く作業能率も良く、コストの低減を推進することができる。また、リード線５２や速結端子５１を、特別な保護部品なしに換気による空気流に含まれる塵埃から保護することができ、ベルマウス６の内部を電気部品の装着部分として有効に利用することにより、換気扇をコンパクトに構成することができる。これ以外の基本的な機能や利点は実施の形態１，２，３のものと同じである。
【００６５】
実施の形態５．
図１９はこの実施の形態５の換気扇を示した断面図である。図面からも分るようにこの換気扇の基本部分の構成は、実施の形態１，２，３，４で示したものと同じである。従って、実施の形態１，２，３，４のものと同じ部分については実施の形態１，２，３，４のものと同じ符号を用い、それらについての説明は省略する。
【００６６】
本実施の形態の換気扇は、風胴２のベルマウス６を吐出側と吸込側とに分割構成したものである。吐出側のベルマウス部５９は、中空のベルマウス６の吐出側の半分を構成し、風胴２の一端側に風胴２に一体に形成されている。吸込側のベルマウス部６０は中空のベルマウス６の吸込側の半分を構成し、別部品として形成されている。吸込側のベルマウス部６０は吐出側のベルマウス部５９に密着する当り面を持つ円弧状部分に半径方向に膨出する取付部６１を有する。取付部６１は風胴２の内壁面に内接する角形に形成され、その外周には取付用のフック６２が数個設けられ、風胴２側に形成された角穴状の係合部にフック６２を掛止めることにより風胴２に取付けることができる。
【００６７】
吸込側のベルマウス部６０を取付部６１のフック６２により風胴２内に装着することにより、吐出側と吸込側の各ベルマウス部５９，６０は当り面で密着し、上述の実施の形態で示したようなベルマウス６となる。このように、ベルマウス６を分割構成にすることにより、ベルマウス６の内部を電気部品の装着部分として広範に利用することができ、気流を乱し騒音の原因ともなる風胴２内に突出する電気部品をなくすことも可能になる。ベルマウス６内に収納できる電気部品としては、速結端子５１の他、各種のセンサー類、回路基板、引紐スイッチなどを挙げることができ、これらはベルマウス６に覆われるため塵埃に対する特別な対策も講じなくても済む。なお、吸込側のベルマウス部６０の風胴２への取付けはねじを使って行なうこともできるが、フック６２の係合部への掛止めによる仕方のほうが作業性がよいうえ、風胴２内に突出部もできず都合がよい。これ以外の基本的な機能や利点は実施の形態１，２，３，４のものと同じである。
【００６８】
実施の形態６．
図２０はこの実施の形態６の換気扇を示した断面構成図である。本実施の形態の換気扇は、上記各実施の形態の換気扇におけるガイドプレート７の室内側に空気溜め６３を設けたものである。空気溜め６３はガイドプレート７の風胴２の室外側の開口部に対向する位置に球面状の凹部として形成されている。このような空気溜め６３を設けることにより、羽根車１６から吹出した排気流が一旦空気溜め６３に溜まり、その球面状の表面に沿って吐出口１２に向うことになり、吐出口１２からの排気流を仕切構造１の室外側の面に沿って流し易くなる。
【００６９】
実施の形態７．
図２１はこの実施の形態７の換気扇を示した背面構成図である。本実施の形態の換気扇は、上記各実施の形態の換気扇における羽根車１６を、遠心式の羽根車で構成したものである。遠心式の羽根車１６による換気扇は、全体が大型化し施工性は低下するものの、吸込み方向と直角の方向へ排気流を吹出させるには好都合である。本実施の形態では、吹出し気流の乱れを整流し半径方向の一部に吐出口１２を開口させた送風機ケーシング６４を、風胴２の室外側の開口部に旋回可能に装着した回転盤６５に固定し、回転盤６５をモーター６６により回転又は揺動させるように構成している。このように構成した換気扇も仕切構造１の室外側の面に沿う排気流を形成でき、室内の熱気抜き機能を果たしうる。
【００７０】
なお、仕切構造１の室外側の面に沿う排気流を形成する熱気抜き機能を主とする換気扇としては、図２２に示すような吹出し気流が半径方向成分を多く持つ斜流式の羽根車１６により送風部分を構成してもよく、また、図２３に示すようなラインフローファンで構成してもよい。
【００７１】
【発明の効果】
施工性がよく、取付場所の制約も少なく、排気側の空気流を有効利用できる外観性の良い換気扇が得られる。
【００７２】
施工性がよく、取付場所の制約も少なく、排気側の空気流を有効利用できる外観性も非運転時の密閉性も良い、機能の優れた換気扇が得られる。
【００７３】
施工性がよく、取付場所の制約も少なく、排気側の空気流を有効利用できる外観性も非運転時の密閉性も良い、コンパクトで組立性のよい機能の優れた換気扇が得られる。
【００７４】
また、スライドシャッターの開閉機能が向上する。
【００７５】
さらに、スライドシャッターのバランスが良くなり、円滑な開閉動作を実現できる。
【００７６】
またさらに、スライドシャッターによる騒音の発生を防止できる。
【００７７】
さらにまた、ガイドプレートの補強及びその端縁による騒音の発生を防止できる。
【００７８】
また、ガイドプレートの補強及びその端縁による騒音の発生を防止でき、スライドシャッターによる騒音の発生も防止できる。
【００７９】
さらに、排気側の空気流の有効利用性が増す。
【００８０】
またさらに、排気側の空気流の有効利用性と、取付け場所に対する適用性が増す。
【００８１】
さらにまた、排気側の空気流の有効利用性が一層増す。
【００８２】
また、排気側の空気流の有効利用性が一層増す。
【００８３】
さらに、送風性能が向上する。
【００８４】
またさらに、高静圧な送風性能が得られサージングが発生しにくくなる。
【００８５】
さらにまた、ベルマウスの形成が容易になる。
【００８６】
また、電気部品を特別な部品を用いることなく、余分なスペースを設けることなく塵埃から保護できる。
【００８７】
さらに、電気部品の組付け性が向上する。
【００８８】
またさらに、シャッター駆動手段を機能的で簡素な構成にすることができる。
【００８９】
さらにまた、スライドシャッターの開閉が円滑になる。
【００９０】
また、外観性と換気機能が向上する。
【００９１】
さらに、外観性が向上し、吸込側の空気流の有効利用性も増す。
【図面の簡単な説明】
【図１】実施の形態１の換気扇を示す縦断面図である。
【図２】実施の形態１の換気扇のグリルを示す断面図である。
【図３】実施の形態１の換気扇の取付け状態の一例を示す説明図である。
【図４】実施の形態１の換気扇の取付け状態の一例を示す説明図である。
【図５】実施の形態１の換気扇の吹出し展開角度を示す説明図である。
【図６】実施の形態２の換気扇を示す縦断面図である。
【図７】実施の形態３の停止状態の換気扇を示す縦断面図である。
【図８】実施の形態３の運転状態の換気扇を示す縦断面図である。
【図９】実施の形態３の換気扇の摺動構造を分解して示す断面図である。
【図１０】実施の形態３の換気扇の摺動構造を示す断面図である。
【図１１】実施の形態３の換気扇のガイドプレートの平面構成図である。
【図１２】実施の形態３のシャッター駆動手段のクランクを示す構成図である。
【図１３】実施の形態３のシャッター駆動手段を示す構成図である。
【図１４】実施の形態３の換気扇におけるスライドシャッターの端部の構成を示す部分断面図である。
【図１５】実施の形態３の換気扇におけるスライドシャッターの端部の構成を示す部分断面図である。
【図１６】実施の形態４の換気扇を分解状態で示す縦断面図である。
【図１７】実施の形態４の換気扇のガイドプレートの取付脚の構成を示す構成図である。
【図１８】実施の形態４の換気扇のガイドプレートの取付脚を示す構成図である。
【図１９】実施の形態５の換気扇を示す縦断面図である。
【図２０】実施の形態６の換気扇を示す断面構成図である。
【図２１】実施の形態７の換気扇を示す背面構成図である。
【図２２】実施の形態７の他の換気扇を示す構成図である。
【図２３】実施の形態７の他の換気扇を示す構成図である。
【図２４】従来の換気扇を示す断面図である。
【図２５】従来の換気扇を取付け状態で示す側面図である。
【符号の説明】
１  仕切構造、  ２  風胴、  ４  グリル、  ５  吸込口、  ６  ベルマウス、  ７  ガイドプレート、  ８  取付脚、  １０  周側壁、  １１  Ｒ形状、  １２  吐出口、  １４  回転軸、  １５  モーター、  １６  羽根車、  ２３  放物線状、  ２４  カバー、  ２６  スライドシャッター、  ２７  シャッター部、  ２８  コイルバネ、  ２９  摺動構造、  ３０  シャッター駆動手段、  ３８  リブ、  ３９  クランク、  ４０  ワイヤー、  ４１  巻取装置、  ４８  コンデンサー、  ５１  速結端子、  ５２  リード線、  ５３  収納筒部、  ５５  端子収納部、  ５９  ベルマウス部、  ６０  ベルマウス部。
【図１】
0003572856.tif 000002
【図２】
0003572856.tif 000003
【図３】
0003572856.tif 000004
【図４】
0003572856.tif 000005
【図５】
0003572856.tif 000006
【図６】
0003572856.tif 000007
【図７】
0003572856.tif 000008
【図８】
0003572856.tif 000009
【図９】
0003572856.tif 000010
【図１０】
0003572856.tif 000011
【図１１】
0003572856.tif 000012
【図１２】
0003572856.tif 000013
【図１３】
0003572856.tif 000014
【図１４】
0003572856.tif 000015
【図１５】
0003572856.tif 000016
【図１６】
0003572856.tif 000017
【図１７】
0003572856.tif 000018
【図１８】
0003572856.tif 000019
【図１９】
0003572856.tif 000020
【図２０】
0003572856.tif 000021
【図２１】
0003572856.tif 000022
【図２２】
0003572856.tif 000023
【図２３】
0003572856.tif 000024
【図２４】
0003572856.tif 000025
【図２５】
0003572856.tif 000026